(57)【要約】【課題】確実に防犯効果が発揮され得る施錠具を提供することにある。【解決手段】第一固定片１１に取り付けられる雌ねじ１３を有する第一施錠部材１０と、雌ねじ１３に締め付けられ、頭部２１を有する雄ねじ２０と、第二固定片３１に取り付けられる筒体３２と筒体３２内で雄ねじ２０の頭部２１を受ける環状の座金部３３とを有する第二施錠部材３０と、雄ねじ２０の頭部２１に嵌るソケット部４１を有する鍵部材４０を備える。第一施錠部材１０の雌ねじ１３が、第一固定片１１に対して、第二施錠部材３０の筒体３２と同軸状態に取り付けられる。第一施錠部材１０の雌ねじ１３と第二施錠部材３０の座金部３３とが接触する状態で、鍵部材４０に保持される雄ねじ２０が、第二施錠部材３０の筒体３２内に挿入され、座金部３３を介して雌ねじ１３に締め付けられるようにした。【選択図】図１
0003195347.tif 000002
【実用新案登録請求の範囲】
【請求項１】
箱体と、その箱体内に出し入れ可能に収納される引き出しとを施錠する施錠具であって、
前記箱体に対する第一固定片と、その第一固定片に取り付けられる雌ねじとを有する第一施錠部材と、前記雌ねじに締め付けられ、頭部を有する雄ねじと、前記引き出しに対する第二固定片と、その第二固定片に取り付けられる筒体とその筒体内で前記雄ねじの頭部を受ける環状の座金部とを有する第二施錠部材とを備え、
前記第一施錠部材の雌ねじが、前記第一固定片に対して前記第二施錠部材の筒体と同軸状態に取り付けられ、
前記引き出しが前記箱体内に収納される状態で、前記第二施錠部材の筒体内に挿入される前記雄ねじは、その頭部を受ける前記座金部を介して前記雌ねじに締め付けられるようにした施錠具。
【請求項２】
観音開き可能な一対の扉を閉止状態で施錠する施錠具であって、
前記一方の扉に対する第一固定片と、その第一固定片に取り付けられる雌ねじとを有する第一施錠部材と、前記雌ねじに締め付けられ、頭部を有する雄ねじと、前記他方の扉に対する第二固定片と、その第二固定片に取り付けられる筒体とその筒体内で前記雄ねじの頭部を受ける環状の座金部とを有する第二施錠部材とを備え、
前記一対の扉が閉止する状態で、前記第一施錠部材の雌ねじが、前記第一固定片に対して前記第二施錠部材の筒体と同軸状態にスライド可能に取り付けられ、
前記一対の扉が閉止する状態で、前記第二施錠部材の筒体内に挿入される前記雄ねじは、その頭部を受ける前記座金部を介して前記雌ねじに締め付けられるようにした施錠具。
【請求項３】
前記雄ねじの頭部に嵌るソケット部を有する鍵部材を備え、その鍵部材が前記第二施錠部材の筒体内に挿入される状態で、前記鍵部材のソケット部が前記雄ねじの頭部に嵌るようにしたことを特徴とする請求項１または２のいずれかに記載の施錠具。
【請求項４】
前記雄ねじが鉄製であり、前記鍵部材のソケット部内に前記雄ねじの頭部を吸着する磁石を備えた請求項３に記載の施錠具。
【考案の詳細な説明】
【技術分野】
【０００１】
この考案は、賽銭箱、または建物の扉等の施錠対象物に取り付けられる施錠具に関する。
【背景技術】
【０００２】
従来、賽銭箱、または建物の扉等には、他人が勝手に開いて中身を盗んだり、破壊したりする等に対する防犯目的で、南京錠を取り付けて施錠することが行われている。
【０００３】
通常、南京錠は金属製であり、金切鋏やニッパーなどの切断工具を使用して、細いつる部分を切断して不正に開錠され、被害を受けることがあった。そこで、切削工具により南京錠のつる部分の切断を防止するため、南京錠を覆って保護する技術が提案されている（例えば、特開２０１４−２９０６１号公報参照）。
【０００４】
上記技術は、南京錠が内部に収納され、両端を開口した筒状周壁と、筒状周壁の軸方向の中間位置に穿孔された挿入孔及び指入れ用孔とを備えるものであり、筒状周壁の両端開口及び指入れ用孔から筒状周壁内部へのアクセスすることができる。
【０００５】
筒状周壁の挿入孔に、南京錠のつる部分が掛かる掛け金の環状部を差し込こみ、筒状周壁の両端開口及び指入れ用孔から筒状周壁内部へのアクセスすることで、南京錠に対する施錠操作、正常な開錠操作を確実に行うことができる。
【考案の概要】
【考案が解決しようとする課題】
【０００６】
しかしながら、上記の技術では、筒状周壁の両端が開口していることから、依然として、切削工具によっては南京錠のつる部分が切断されるおそれがあり、防犯効果が十分に発揮されないという問題があった。
【０００７】
そこで、この考案の課題は、確実に防犯効果が発揮され得る施錠具を提供することにある。
【課題を解決するための手段】
【０００８】
上記の課題を解決するために、
箱体と、その箱体内に出し入れ可能に収納される引き出しとを施錠する施錠具であって、
前記箱体に対する第一固定片と、その第一固定片に取り付けられる雌ねじとを有する第一施錠部材と、前記雌ねじに締め付けられ、頭部を有する雄ねじと、前記引き出しに対する第二固定片と、その第二固定片に取り付けられる筒体とその筒体内で前記雄ねじの頭部を受ける環状の座金部とを有する第二施錠部材とを備え、
前記第一施錠部材の雌ねじが、前記第一固定片に対して前記第二施錠部材の筒体と同軸状態に取り付けられ、
前記引き出しが前記箱体内に収納される状態で、前記第二施錠部材の筒体内に挿入される前記雄ねじは、その頭部を受ける前記座金部を介して前記雌ねじに締め付けられるようにした構成を採用することができる。
【０００９】
また、上記の課題を解決するために、
観音開き可能な一対の扉を閉止状態で施錠する施錠具であって、
前記一方の扉に対する第一固定片と、その第一固定片に取り付けられる雌ねじとを有する第一施錠部材と、前記雌ねじに締め付けられ、頭部を有する雄ねじと、前記他方の扉に対する第二固定片と、その第二固定片に取り付けられる筒体とその筒体内で前記雄ねじの頭部を受ける環状の座金部とを有する第二施錠部材とを備え、
前記一対の扉が閉止する状態で、前記第一施錠部材の雌ねじが、前記第一固定片に対して前記第二施錠部材の筒体と同軸状態にスライド可能に取り付けられ、
前記一対の扉が閉止する状態で、前記第二施錠部材の筒体内に挿入される前記雄ねじは、その頭部を受ける前記座金部を介して前記雌ねじに締め付けられるようにした構成を採用することができる。
【００１０】
上記構成によると、雄ねじによって第一施錠部材と第二施錠部材とが締結され、箱体と引き出しとが、あるいは一対の扉が施錠される。施錠状態では、雄ねじの頭部が第二施錠部材の筒体内に位置する。
【考案の効果】
【００１１】
この考案は、雄ねじによって第一施錠部材と第二施錠部材とが締結された状態では、雄ねじの頭部が第二施錠部材の筒体内に位置している。雄ねじを緩めるには、予め、筒体内の雄ねじの頭部に届く長さのソケット等を有する専用工具を準備する必要があるので、容易に、雄ねじを緩めて開錠することができない。
【図面の簡単な説明】
【００１２】
【図１】この考案に係る第一実施形態の施錠具を示す分解斜視図
【図２】（ａ）同上の第一施錠部材を示す側面図、（ｂ）同上の第一施錠部材を示す正面図
【図３】（ａ）同上の第二施錠部材を示す平面図、（ｂ）同上の第二施錠部材を示す正面図
【図４】同上の施錠具の使用状態を示す斜視図
【図５】（ａ）同上の施錠具の締結前の状態を示す断面図、（ｂ）同上の施錠具の鍵部材を挿入する状態を示す断面図、（ｃ）同上の施錠具の締結状態を示す断面図
【図６】この考案に係る第二実施形態の施錠具を示す分解斜視図
【図７】（ａ）同上の第一施錠部材を示す側面図、（ｂ）同上の第一施錠部材を示す平面図
【図８】（ａ）同上の第二施錠部材を示す側面図、（ｂ）同上の第二施錠部材を示す平面図
【図９】（ａ）同上の施錠具の使用状態を示す斜視図、（ｂ）図９（ａ）の要部拡大斜視図
【図１０】（ａ）同上の施錠具の締結前の状態を示す断面図、（ｂ）同上の施錠具の鍵部材を挿入する状態を示す断面図、（ｃ）同上の施錠具の締結状態を示す断面図
【考案を実施するための形態】
【００１３】
以下、この考案に係る第一実施形態の施錠具を図１〜３に示す。
第一実施形態の施錠具１は、例えば、賽銭箱などの箱体２と、箱体２内に出し入れ可能に収納される引き出し３とを施錠するものであり、箱体２に取り付けられ、雌ねじ１３を有する第一施錠部材１０と、雌ねじ１３に締め付けられる雄ねじ２０と、引き出し３に取り付けられる第二施錠部材３０と、雄ねじ２０の頭部２１が嵌るソケット部４１を有する鍵部材４０とを備える。
【００１４】
図１、２に示すように、第一施錠部材１０は、箱体２に対する第一固定片１１と、第一固定片１１に取り付けられる筒体１２と、筒体１２内に配置される雌ねじ１３とを備える。
【００１５】
第一固定片１１は、長方形の金属片からなり、長辺側縁部に沿って固定孔１１ａが並んで二箇所に、両側で計四箇所に形成されている。第一固定片１１の片面に筒体１２の外周部が固定される。筒体１２は金属製の円筒体から形成され、その軸方向が第一固定片１１の長辺に沿って配置される。
【００１６】
また、図２に示すように、筒体１２は一端部に固定される環状のガード板部１２ａと、軸方向途中位置に固定される雌ねじ保持部１２ｂとを備える。ガード板部１２ａは、筒体１２の一端部側から、雌ねじ１３に締結される雄ねじ２０の不正操作を防止する。
【００１７】
雌ねじ保持部１２ｂは金属製のリング板から形成され、その内部に雌ねじ１３としての六角ナットが筒体１２と同軸状態に固定されている。
【００１８】
第一施錠部材１０は、図４に示すように、箱体２の側板２ａの引き出し３の前面板３ａ側に固定される。箱体２に対する第一施錠部材１０の固定は、固定孔１１ａを介して既存の木ねじや釘などにより行われる。
【００１９】
雄ねじ２０は、六角ボルトであり、その頭部２１に接触するようにナット２２が締め付けられる。ナット２２及び頭部２１の外周六面がそれぞれ同一平面上に位置している。また、雄ねじ２０は第一施錠部材１０の雌ねじ１３に締め付け可能なものである。
【００２０】
なお、雄ねじ２０はナット２２が締め付けられている必要がない。ナット２２が締め付けられると、鍵部材４０のソケット部４１に雄ねじ２０の頭部２１が嵌り易く、好ましい。
【００２１】
第二施錠部材３０は、図３に示すように、引き出し３に対する第二固定片３１と、第二固定片３１に取り付けられる筒体３２と、筒体３２の一端部に固定される環状の座金部３３とを備える。
【００２２】
第二固定片３１は、長方形の金属片からなり、長辺側縁部に沿って固定孔３１ａが並んで三箇所に、両側で計六箇所に形成されている。第二固定片３１の一方の短辺側縁部に筒体３２の他端部が固定される。
【００２３】
筒体３２は金属製の円筒体から形成され、その軸方向が第二固定片３１の表面に対して直交状態に配置される。また、筒体３２は、第一施錠部材１０の筒体１２内に嵌め合わせ可能であり、その長さが筒体１２よりも長く形成される。
【００２４】
第二施錠部材３０は、図４に示すように、箱体２に出し入れ可能に収納される引き出し３の前面板３ａの第一施錠部材１０側に固定される。引き出し３に対する第二施錠部材３０の固定は、固定孔３１ａを介して既存の木ねじ、釘等により行われる。
【００２５】
引き出し３に固定された第二施錠部材３０の筒体３２は、箱体２に固定された第一施錠部材１０の雌ねじ１３及び筒体１２と同軸状態となっている。また、引き出し３が箱体２内に収納される状態では、第一施錠部材１０の筒体１２内に第二施錠部材３０の筒体３２が嵌り、第一施錠部材１０の雌ねじ１３と第二施錠部材３０の座金部３３とが接触する（図５（ｂ）参照）。
【００２６】
鍵部材４０は、図１に示すように、金属製の軸体からなり、一端部に形成されるソケット部４１と、他端部に締結されるアイナット４２とを備える。ソケット部４１の形状は、雄ねじ２０及びナット２２が嵌る十二角であり、ソケット部４１の二面幅が雄ねじ２０及びナット２２の二面幅と同寸法に形成される。
【００２７】
また、鍵部材４０は、ソケット部４１の底部に固定された磁石４３を備え、ソケット部４１内で雄ねじ２０を磁石４３の磁力で保持することができる（図５（ｂ）参照）。
【００２８】
この第一実施形態の施錠具１は、上述のように構成され、例えば、図４に示すように、例えば、賽銭箱などの箱体２と、箱体２内に出し入れ可能に収納される引き出し３とを施錠するものである。
【００２９】
すなわち、施錠具１としては、第一施錠部材１０は、賽銭箱などの箱体２に第一固定片１１を介して、雌ねじ１３の中心軸が引き出し３の出し入れ方向と平行となるように取り付けられる。第二施錠部材３０は、引き出し３の前面板３ａに第二固定片３１を介して、筒体３２が雌ねじ１３と同軸状態となるように取り付けられる。
【００３０】
次に、箱体２と引き出し３に取り付けられた施錠具１の使用方法を図５に基づいて説明する。
【００３１】
まず、図５（ａ）に示すように、箱体２に対して引き出し３が引き出され、開錠状態となっている。そして、引き出し３を箱体２内に入れると、第二施錠部材３０の筒体３２が座金部３３から第一施錠部材１０の筒体１２内に嵌め合わされる。
【００３２】
さらに、引き出し３が箱体２内に完全に収納されると、第一施錠部材１０の雌ねじ１３と第二施錠部材３０の座金部３３とが接触する（図５（ｂ）参照）。
【００３３】
この接触状態において、鍵部材４０のソケット部４１に磁石４３により雄ねじ２０を保持し、鍵部材４０を第二施錠部材３０の筒体３２内に挿入しつつ、雄ねじ２０を座金部３３に挿通する。
【００３４】
続いて、鍵部材４０を座金部３３に向かって押し付けながら、アイナット４２を持って鍵部材４０を回転し、雄ねじ２０を、その頭部２１及びナット２２を受ける座金部３３を介して第一施錠部材１０の雌ねじ１３に締め付ける。
【００３５】
その後、鍵部材４０を引き抜くと、図５（ｃ）に示すように、雄ねじ２０の頭部２１及びナット２２を座金部３３で受けた状態で、第一施錠部材１０と第二施錠部材３０とが締結されて、箱体２に対して引き出し３が施錠される。
【００３６】
箱体２に対して引き出し３が施錠される状態では、雄ねじ２０の頭部２１は、第二施錠部材３０の筒体３２内に位置している。このため、雄ねじ２０を緩めるには、予め、筒体３２内の雄ねじ２０の頭部２１に届く長さのソケット等を有する専用工具を準備する必要があり、容易に雄ねじ２０を緩めて不正解錠することができない。
【００３７】
その一方、この第一実施形態の施錠具の使用者は、鍵部材４０を所持することから、鍵部材４０により雄ねじ２０を容易に緩めて取り外し、箱体２に対して引き出し３を解錠することができる。
【００３８】
この考案に係る第二実施形態の施錠具１を図６〜１０に示す。
この第二実施形態の施錠具１´は、第一施錠部材の雌ねじ１３が、軸体から構成される点、雌ねじ１３が第一固定片１１に対して第二施錠部材３０の筒体３２と同軸状態にスライド可能に取り付けられる点で、上述した第一実施形態の施錠具１と相違する。その他の構成で、第一実施形態の構成と同じと考えられる構成は、同じ符号を付してその説明を省略する。
【００３９】
第二実施形態の施錠具１´は、例えば、観音開き可能な一対の扉５０、５１を閉止状態で施錠するものであり、一方の扉５０に第一施錠部材１０が取り付けられ、他方の扉５１に第二施錠部材２０が取り付けられる（図９参照）。
【００４０】
第一施錠部材１０は、図６、７に示すように、一方の扉５０に対する長方形の第一固定片１１と、第一固定片１１の片面から突出する一対の支持片１４、１４及び係止片１５と、一対の支持片１４、１４によりスライド可能に支持される雌ねじ１３とを有する。
【００４１】
雌ねじ１３は、一端部に雌ねじ部１３ａが軸方向に形成された金属製の軸体であり、長さ方向途中位置から径方向外向きに突出する環状の係合片１３ｂを有する。
【００４２】
一対の支持片１４、１４は、第一固定片１１の片面の長さ方向両側に配置され、雌ねじ１３が挿通する貫通孔１４ａを有する。それぞれの貫通孔１４ａに雌ねじ１３が挿通され、一対の支持片１４、１４が雌ねじ１３を第一固定片１１の長さ方向に沿ってスライド可能に支持する。
【００４３】
係止片１５は環状に形成され、後述する施錠状態において、雌ねじ１３の係合片１３ｂ内に挿通されて係合可能となっている。
【００４４】
雄ねじ２０は、六角ボルトであり、第一施錠部材１０の雌ねじ１３の雌ねじ部１３ａに締め付け可能なものである。
【００４５】
第二施錠部材３０は、図８に示すように、他方の扉５１に対する第二固定片３１と、第二固定片３１に対して一対の保持片３４、３５を介して取り付けられる筒体３２と、筒体３２内に固定される環状の座金部３３と、第二固定片３１から突出するガイド片３６とを備える。
【００４６】
筒体３２は金属製の円筒体から形成され、一対の保持片３４、３５により、軸方向が第二固定片３１の表面に対して平行し、かつ第二固定片３１の長さ方向に沿う状態で保持される。
【００４７】
環状の座金部３３は、筒体３２内に対して軸方向中央に配置され、その径方向中心が筒体３２の軸上に位置する。
【００４８】
一対の保持片３４、３５は、筒体３２と同軸状態となる貫通孔３４ａ、３５ａを有する。一方の保持片３４は、第二固定片３１の長さ方向一端側に配置され、貫通孔３４ａが筒体３２と同じ内径を有し、鍵部材４０が挿通可能となっている。
【００４９】
他方の保持片３５は、第二固定片３１の長さ方向他端部よりも内側に配置され、貫通孔３５ａは雌ねじ１３が挿通可能な内径を有している。ガイド片３６は、第二固定片３１の長さ方向他端側に配置され、筒体３２と同軸状態となる貫通孔３６ａを有する。貫通孔３６ａは雌ねじ１３が挿通可能な内径を有している。
【００５０】
この第二実施形態の施錠具１´は上述のように構成され、例えば、図９に示すように、観音開き可能な一対の扉５０、５１を閉止状態で施錠するものである。
【００５１】
すなわち、施錠具１´としては、第一施錠部材１０は、一方の扉５０に第一固定片１１を介して、雌ねじ１３が扉５０の幅方向にスライド可能に取り付けられる。第二施錠部材３０は、他方の扉５１に第二固定片３１を介して、筒体３２が雌ねじ１３と同軸状態となるように配置される（図９（ａ）、（ｂ）参照）。
【００５２】
次に、観音開き可能な一対の扉５０、５１に取り付けられた施錠具１´の使用方法を図１０に基づいて説明する。
【００５３】
まず、図１０（ａ）に示すように、一対の扉５０、５１が閉止され、開錠状態となっている。そして、雌ねじ１３を第二施錠部材３０の筒体３２へ向かってスライドさせて、雌ねじ１３と筒体３２の座金部３３とを接触させる。
【００５４】
この接触状態において、鍵部材４０のソケット部４１に磁石４３により雄ねじ２０を保持し、鍵部材４０を保持片３４の貫通孔３４ａ側から筒体３２内に挿入しつつ、雄ねじ２０を座金部３３に挿通する（図１０（ｂ）参照）。
【００５５】
続いて、鍵部材４０を座金部３３に向かって押し付けながら、アイナット４２を持って鍵部材４０を回転し、雄ねじ２０を、その頭部２１を受ける座金部３３を介して第一施錠部材１０の雌ねじ１３に締め付ける。
【００５６】
その後、鍵部材４０を引き抜くと、図１０（ｃ）に示すように、雄ねじ２０の頭部２１を座金部３３で受けた状態で、第一施錠部材１０と第二施錠部材３０とが締結されて、一対の扉５０、５１が施錠される。
【００５７】
一対の扉５０、５１が施錠される状態では、雄ねじ２０の頭部２１は、第二施錠部材３０の筒体３２内に位置している。このため、第一実施形態の施錠具１の場合と同様に、雄ねじ２０を緩めるには、予め、筒体３２内の雄ねじ２０の頭部２１に届く長さのソケット等を有する専用工具を準備する必要があり、容易に雄ねじ２０を緩めて不正解錠することができない。
【符号の説明】
【００５８】
１  施錠具
１´  施錠具
２  箱体
２ａ  側板
３  引き出し
３ａ  前面板
１０  第一施錠部材
１１  第一固定片
１１ａ  固定孔
１２  筒体
１２ａ  ガード板部
１２ｂ  雌ねじ保持部
１３  雌ねじ
１３ａ  雌ねじ部
１３ｂ  係合片
１４  支持片
１４ａ  貫通孔
１５  係止片
２０  雄ねじ
２１  頭部
２２  ナット
３０  第二施錠部材
３１  第二固定片
３１ａ  固定孔
３２  筒体
３３  座金部
３４  保持片
３４ａ  貫通孔
３５  保持片
３５ａ  貫通孔
３６  ガイド片
３６ａ  貫通孔
４０  鍵部材
４１  ソケット部
４２  アイナット
４３  磁石
【図１】
0003195347.tif 000003
【図２】
0003195347.tif 000004
【図３】
0003195347.tif 000005
【図４】
0003195347.tif 000006
【図５】
0003195347.tif 000007
【図６】
0003195347.tif 000008
【図７】
0003195347.tif 000009
【図８】
0003195347.tif 000010
【図９】
0003195347.tif 000011
【図１０】
0003195347.tif 000012